(57)【要約】      （修正有）【課題】ガイドシャフトの高さ調整範囲を高位置に定める場合と低位置に定める場合とで共通のシャーシを用いる。【解決手段】シャーシ５０と、光ピックアップと、ガイドシャフト３と、シャフト支持機構１０とを備える。シャフト支持機構１０が、シャーシ５０の取付面５１に重なり状に固定される取付部３０と、ガイドシャフト３の端部が挿通される調整空間２２を備えたシャフト保持体２０と、シャフト保持体２０のねじ孔２５，２６に対するねじ込まれる調整ねじ４０とを有する。調整空間２２の中央位置から偏った位置で、シャフト保持体２０に取付部３０が設けられている。シャフト支持機構１０が正立及び倒立のいずれの姿勢であっても取付部３０を取付面５１に固定可能である。【選択図】図２
2010160850.tif 000002
【特許請求の範囲】
【請求項１】
記録媒体としてのディスクを回転させるターンテーブルを装備しているシャーシと、上記ディスクの記録面の光学的処理を行う光ピックアップと、この光ピックアップの上記ディスクの記録面に沿う移動を案内するガイドシャフトと、このガイドシャフトを上記シャーシに高さ調整可能に取り付けるためのシャフト支持機構と、を備え、
上記シャフト支持機構が、上記シャーシに定められた取付面に重なり状に固定される取付部と、上記取付部が上記取付面に固定されているときに上記ガイドシャフトの端部が上記取付面に対する遠近方向にのみ変位可能に挿通される調整空間を備えたシャフト保持体と、このシャフト保持体のねじ孔に対するねじ込み量を増減調節することによりシャフト保持体の上記調整空間に挿通されている上記ガイドシャフトの端部を上記遠近方向に変位させることが可能な調整ねじ、とを有し、
上記調整空間の中央位置から上記遠近方向に偏った位置で、上記シャフト保持体に上記取付部が設けられていると共に、上記シャフト支持機構が正立及び倒立のいずれの姿勢であっても上記取付部を上記取付面に固定可能に構成してあることを特徴とするディスク装置。
【請求項２】
上記シャフト支持機構のシャフト保持体は、丸棒でなる上記ガイドシャフトの端部の直径と同等の幅寸法を有し、かつ、そのガイドシャフトの端部の直径よりも長い高さ寸法を有する調整空間を形作る矩形枠形に形成されていて、そのシャフト保持体の高さ方向両側に備わっている板部に、共通の上記調整ねじをねじ込み可能な上記ねじ孔が設けられている請求項１に記載したディスク装置。
【請求項３】
上記シャフト支持機構が、上記シャフト支持体の側部に突出する板片状の上記取付部を有している請求項２に記載したディスク装置。
【発明の詳細な説明】
【技術分野】
【０００１】
本発明は、ディスク装置、特に、光ピックアップの移動を案内するガイドシャフトの高さ調整を通じて、光ピックアップの対物レンズと光ピックアップによって光学的に処理されるディスクの記録面との適正間隔が定められるように構成されているディスク装置に関する。
【背景技術】
【０００２】
図６にこの種の従来例によるディスク装置の要部を概略平面図で示してある。このディスク装置では、板金製のシャーシ１にターンテーブル２が装備されていて、そのターンテーブル２によって記録媒体としてのディスク（不図示）が回転駆動される。シャーシ１には、メインガイドシャフト３とサブガイドシャフト４とが平行に取り付けられている。そして、シャーシ１に取り付けられた走行駆動機構５の作用により、光ピックアップ６がガイドシャフト３，４により案内されて矢印Ａ方向に往復移動し、その移動中に、ターンテーブル２によって回転駆動されているディスクの記録面を光ピックアップ６が光学的に処理するようになっている。
【０００３】
このような従来のディスク装置では、メインガイドシャフト３又はサブガイドシャフト４が、シャフト支持機構７，７Ａ，７Ｂ，７Ｃを用いてシャーシ１に高さ調整可能に取り付けられていた。
【０００４】
図７は図６に示したメインガイドシャフト３の一端部についてのシャフト支持機構７を拡大して示した概略側面図である。図６及び図７によって判るように、このシャフト支持機構７では、板金製のシャーシ１に切起し形成したばね受け片７１とそのシャーシ１に開設した係止孔７２とに、メインガイドシャフト３の一端部に嵌合させたねじりコイルばねでなるばね体７３の一端と他端とをそれぞれ係止させることにより、メインガイドシャフト３をシャーシ１に近付く方向に弾発付勢してある。これと共に、シャーシ１に形成したねじ孔７４にねじ込んだ調整ねじ７５の先端をメインガイドシャフト３に当接させて上記ばね体７３の付勢に対抗させている。したがって、このシャフト支持機構７によると、ねじ孔７４に対する調整ねじ７５のねじ込み量を増減調節してその調整ねじ７５の先端位置を変えることにより、調整ねじ７５とばね体７３による付勢力との押合いによってメインガイドシャフト３の高さ、言い換えると、シャーシ１とメインガイドシャフト３との間隔が調整され、そのようなメインガイドシャフト３の高さ調整を通じて、メインガイドシャフト３に案内される光ピックアップ６の対物レンズ６１の高さレベルが調整される。図６に例示したディスク装置では、上記したシャフト支持機構７と同様の構成を有するシャフト支持機構７Ａ，７Ｂ，７Ｃが、メインガイドシャフト３の他端部や、サブガイドシャフト４の一端部及び他端部にも適用されていて、それらのシャフト支持機構７Ａ，７Ｂ，７Ｃも上記したシャフト支持機構７と同様の作用を発揮する。
【０００５】
ところで、光ピックアップ６に装備されている対物レンズ６１はディスクの記録面で光線の焦点を結ばせる役割を担っている。そのため、ディスク装置では、上記したような各ガイドシャフト３，４の高さ調整を行うことにより、対物レンズ６１をディスクの記録面に対して適正な対向間隔を保持して対向させることが行われる。そして、上記したガイドシャフト３の高さ調整は、調整ねじ７５のねじ込み量を増減調整することにより一定の範囲内で行われる。ガイドシャフト３の高さ調整の範囲を一定範囲に規制しておく理由は、調整ねじ７５の長さを長くしたりばね体７３の形状やサイズなどを変更したりすることによって上記高さ調整の範囲を広く確保することが可能であるけれども、そのようにすると、いたずらに長い調整ねじ７５が必要になったり、ばね体７３がいたずらに大形化したりするといった種々の不都合を生じるからである。
【０００６】
その一方で、ディスク装置には、ＤＶＤモデルやブルーレイモデルといった異なる種類のモデルがあり、各モデルに応じて、光ピックアップの対物レンズとディスクの記録面との適正な対向間隔が個別に定められていることが多い。したがって、ディスク装置のモデルに応じて、上記した高さ調整の範囲が、シャーシ１から離れた高位置に存在する場合（対物レンズ６１の位置をディスクの記録面に近付ける場合）と、シャーシ１に近い低位置に存在する場合（対物レンズ６１の位置をディスクの記録面から遠ざける場合）とが生じる。
【０００７】
図７はメインガイドシャフト３の高さ調整範囲Ｚ１が高位置に存在する場合を例示してあり、図８はメインガイドシャフト３の高さ調整範囲Ｚ２が低位置に存在する場合を例示していて、これら図７及び図８の事例は、ディスク装置の異なる種類のモデルに対して個別に適用される。図７及び図８において、Ｄ１，Ｄ２はメインガイドシャフト３の軸線と対物レンズとの相互間隔を示していて、両者は等しくなっている（Ｄ１＝Ｄ２）。図７に示した高位置の高さ調整範囲Ｚ１は、シャーシ１とメインガイドシャフト３の軸線の上限位置との間隔Ｈ１からシャーシ１とメインガイドシャフト３の軸線の下限位置との間隔ｈ１を差し引いた値である。図８に示した低位置の高さ調整範囲Ｚ２は、シャーシ１とメインガイドシャフト３の軸線の上限位置との間隔Ｈ２からシャーシ１とメインガイドシャフト３の軸線の下限位置との間隔ｈ２を差し引いた値である。そして、図７及び図８では、ｈ１＞ｈ２、Ｈ１＞Ｈ２の関係が成立している。
【０００８】
図７と図８とを対比することによって判るように、同じサイズの調整ねじ７５を用いて上記した高さ調整範囲を高位置（図７の場合）と低位置（図８の場合）とに定めようとすると、たとえば、シャーシ１に切起し形成したばね受け片７１のサイズを変更することが必要になる。そのため、従来は、メインガイドシャフト３の高さ調整範囲を高位置に定める場合と低位置に定める場合とでシャーシ１を共用することができなかった。その結果、ディスク装置の異なる種類のモデルに適合するように、モデルごとに別々の専用シャーシを製作することを余儀なくされ、そのことがコスト高の一因になっていた。サブガイドシャフト４の高さ調整範囲についても同様のことが云える。
【０００９】
一方、光ピックアップのレンズ位置調整機構として、レンズホルダの支持部材とシャーシとの間に巻ばねを介在させた状態で、支持部材を調整ねじを用いてシャーシに締め付けるようにした構造が提案されている（たとえば、特許文献１参照）。このものによると、対物レンズのスキュー調整を簡単に行うことができるとされている。
【先行技術文献】
【特許文献】
【００１０】
【特許文献１】実開平５−３６６０９号公報
【発明の概要】
【発明が解決しようとする課題】
【００１１】
上記したように、図６〜図８に例示した構成を有する従来のディスク装置では、メインガイドシャフト３やサブガイドシャフト４の高さ調整範囲を高位置に定める場合と低位置に定める場合とでシャーシ１を共用することができず、その結果、ディスク装置の異なる種類のモデルに適合するように、モデルごとに別々の専用シャーシを製作することを余儀なくされるという問題があった。この問題点は、上記した特許文献１に示された技術を適用することによっては解決することができない。
【００１２】
本発明は以上の問題に鑑みてなされたもので、メインガイドシャフトやサブガイドシャフトなどのガイドシャフトの高さ調整範囲を高位置に定める場合と低位置に定める場合とで共通のシャーシを用いることができるようにする対策を講じることによって、ディスク装置の異なる種類のモデルにシャーシを共用可能とすることを目的としている。
【課題を解決するための手段】
【００１３】
本発明に係るディスク装置は、記録媒体としてのディスクを回転させるターンテーブルを装備しているシャーシと、上記ディスクの記録面の光学的処理を行う光ピックアップと、この光ピックアップの上記ディスクの記録面に沿う移動を案内するガイドシャフトと、このガイドシャフトを上記シャーシに高さ調整可能に取り付けるためのシャフト支持機構と、を備えている。そして、上記シャフト支持機構が、上記シャーシに定められた取付面に重なり状に固定される取付部と、上記取付部が上記取付面に固定されているときに上記ガイドシャフトの端部が上記取付面に対する遠近方向にのみ変位可能に挿通される調整空間を備えたシャフト保持体と、このシャフト保持体のねじ孔に対するねじ込み量を増減調節することによりシャフト保持体の上記調整空間に挿通されている上記ガイドシャフトの端部を上記遠近方向に変位させることが可能な調整ねじ、とを有している。また、上記調整空間の中央位置から上記遠近方向に偏った位置で、上記シャフト保持体に上記取付部が設けられていると共に、上記シャフト支持機構が正立及び倒立のいずれの姿勢であっても上記取付部を上記取付面に固定可能に構成してある。
【００１４】
この構成を有するディスク装置において、シャフト支持機構は、正立及び倒立のいずれの姿勢であってもその取付部をシャーシの取付面に固定可能である。また、取付部は、シャフト保持体の調整空間の中央位置から上記取付面に対する遠近方向に偏った位置でシャフト保持体に設けられている。そのため、シャフト支持機構を正立姿勢でシャーシの取付面に固定した場合と倒立姿勢でシャーシの取付面に固定した場合とでは、シャーシの取付面からのシャフト保持体の調整空間の位置が遠近方向で相違するようになる。したがって、シャフト支持機構を正立姿勢でシャーシの取付面に固定した場合と倒立姿勢でシャーシの取付面に固定した場合とでは、上記調整空間内でのガイドシャフトの高さ調整範囲が高位置と低位置とに変更される。このことを利用すると、ガイドシャフトの高さ調整範囲を高位置に定める場合と低位置に定める場合とで共通のシャーシを用いることができるようになり、その結果、ディスク装置の異なる種類のモデルに同じ構成のシャーシを共用することが可能になる。また、上記調整空間の高さは、シャフト支持機構を正立姿勢でシャーシの取付面に固定した場合でも倒立姿勢でシャーシの取付面に固定した場合でも一定であるので、調整ねじもディスク装置の異なる種類のモデルに対して共用することが可能である。
【００１５】
本発明において、上記シャフト支持機構のシャフト保持体は、丸棒でなる上記ガイドシャフトの端部の直径と同等の幅寸法を有し、かつ、そのガイドシャフトの端部の直径よりも長い高さ寸法を有する調整空間を形作る矩形枠形に形成されていて、そのシャフト保持体の高さ方向両側に備わっている板部に、共通の上記調整ねじをねじ込み可能な上記ねじ孔が設けられている、という構成を有するものであってもよい。
【００１６】
また、上記シャフト支持機構が、上記枠体の側部に突出する板片状の上記取付部を有しているものであってもよい。
【発明の効果】
【００１７】
以上のように、本発明に係るディスク装置は、シャーシから分離されているシャフト支持体を、正立姿勢でシャーシの取付面に固定するか、あるいは、倒立姿勢でシャーシの取付面に固定するかによって、ガイドシャフトの高さ調整を高位置で行ったり低位置で行ったりすることが可能になる。そのため、モデルごとにガイドシャフトの高さ調整範囲の相違しているディスク装置の各モデルに対して、シャーシや調整ねじを共用することが可能になる。そのため、ディスク装置のコストダウンを図ることも可能になる。
【図面の簡単な説明】
【００１８】
【図１】本発明に係る実施形態のディスク装置に採用されているシャフト支持機構などを説明的に示した分解斜視図である。
【図２】シャフト支持機構を正立姿勢でシャーシに固定した状態を説明的に示した正面図である。
【図３】図２のＩＩＩ−ＩＩＩ線に沿う部分の断面図である。
【図４】シャフト支持機構を倒立姿勢でシャーシに固定した状態を説明的に示した正面図である。
【図５】図４のＶ−Ｖ線に沿う部分の断面図である。
【図６】従来例によるディスク装置の要部の概略平面図である。
【図７】従来例によるディスク装置において、メインガイドシャフトの高さ調整範囲が高位置に存在する場合の概略側面図である。
【図８】従来例によるディスク装置において、メインガイドシャフトの高さ調整範囲が低位置に存在する場合の概略側面図である。
【発明を実施するための形態】
【００１９】
図１は本発明に係る実施形態のディスク装置に採用されているシャフト支持機構１０のシャフト保持体２０とシャーシ５０とを説明的に示した分解斜視図である。また、図２はシャフト支持機構１０を正立姿勢でシャーシ５０に固定した状態を説明的に示した正面図、図３は図２のＩＩＩ−ＩＩＩ線に沿う部分の断面図である。さらに、図４はシャフト支持機構１０を倒立姿勢でシャーシ５０に固定した状態を説明的に示した正面図、図５は図４のＶ−Ｖ線に沿う部分の断面図である。
【００２０】
本発明に係るディスク装置では、図６に示したシャフト支持機構７，７Ａ，７Ｂ，７Ｃの構成を除いて、図６の構成をそのまま適用することが可能である。したがって、実施形態のディスク装置は、記録媒体としてのディスクを回転させるターンテーブルを装備しているシャーシと、ディスクの記録面の光学的処理を行う光ピックアップと、この光ピックアップのディスクの記録面に沿う移動を案内するガイドシャフトと、このガイドシャフトをシャーシに高さ調整可能に取り付けるためのシャフト支持機構と、を備えている。
【００２１】
この実施形態のディスク装置に採用されているシャフト支持機構１０を次に説明する。      
【００２２】
図２〜図５に示したように、シャフト支持機構１０は、シャフト保持体２０と、このシャフト保持体２０に設けられている取付部３０と、調整ねじ４０とを有している。シャフト保持体２０は縦長矩形に形成されていて、このシャフト保持体２０により取り囲まれている縦長空間が調整空間２２とされている。調整空間２２は、その横幅が丸棒でなるガイドシャフト５０の直径寸法と同等の寸法を有し、その縦幅がガイドシャフト５０の直径寸法よりも長い高さ寸法になっている。そして、このシャフト保持体２０の高さ方向両側に備わっている板部２３，２４に、同一径のねじ孔２５，２６が同心状に形成されている。そして、これらのねじ孔２５，２６のいずれにも上記調整ねじ４０をねじ込むことが可能である。
【００２３】
また、シャフト保持体２０には、同一高さでその両側に張り出す形態の板片状の上記取付部３０が設けられている。取付部３０の表裏両面は共に平坦面になっている。この取付部３０は、シャフト保持体２０と共に合成樹脂で一体成形されている。図２又は図４に示したように、シャフト保持体２０に対する取付部３０の位置は、上記調整空間２２の長手方向中央位置からその長手方向の片側に偏った位置に定められている。
【００２４】
一方、シャーシ５０には平坦な取付面５１が備わっている。この取付面５１にシャフト支持機構１０の取付部３０が重なり状に固定されるようになっている。なお、図１〜図５に示したシャーシ５０は、図６に示した従来例のディスク装置のシャーシ１に相当している。
【００２５】
この実施形態では、シャーシ５０の取付面５１にシャフト支持機構１０の取付部３０を固定する手段として、図１に示した取付ビス６０を用いるビス止め手段が採用されている。このビス止め手段は、シャフト支持機構１０の取付部３０に開設されたビス挿通孔３１に取付ビス６０を挿通させてシャーシ５０のねじ孔（不図示）にねじ込んで締め付けるというものである。
【００２６】
上記したように、シャフト支持機構１０において、シャフト保持体２０に対する取付部３０の位置は、そのシャフト保持体２０によって形作られている調整空間２２の長手方向中央位置からその長手方向の片側に偏った位置に定められている。このため、シャフト支持機構１０を正立姿勢として取付部３０をシャーシ５０の取付面５１に固定した場合と、シャフト支持機構１０を倒立姿勢として取付部３０をシャーシ５０の取付面５１に固定した場合とでは、シャーシ５０の取付面５１に対する調整空間２２の高さ位置が相違する。したがって、このことを利用すると、ガイドシャフトの高さ調整範囲を高位置と低位置とに定めることが可能である。
【００２７】
シャフト支持機構１０を正立姿勢でシャーシ５０に固定した状態を示した図２及び図３と、シャフト支持機構１０を倒立姿勢でシャーシ５０に固定した状態を示した図４及び図５とを併せ見ることによって判るように、この実施形態では、シャフト支持機構１０を正立姿勢でシャーシ５０に固定したときの調整空間２２の位置が、シャフト支持機構１０を倒立姿勢でシャーシ５０に固定したときの調整空間２２の位置よりも、シャーシ５０の取付面５１に対して上位に位置している。したがって、ディスク装置のモデルに応じて、光ピックアップの対物レンズ６１をディスクの記録面に近付けて配置することを要する場合には、シャフト支持機構２０を正立姿勢でシャーシ５０に固定し（図２及び図３）、それとは逆に、光ピックアップの対物レンズ６１をディスクの記録面から遠ざけて配置することを要する場合には、シャフト支持機構２０を倒立姿勢でシャーシ５０に固定する（図４及び図５）。このようにすることにより、ディスク装置の２種類のモデルに対してシャーシ５０とシャフト支持機構１０とを共用することが可能になる。
【００２８】
図２及び図３では、メインガイドシャフト３の高さ調整範囲Ｚ１が高位置に存在する場合が例示され、図４及び図５では、メインガイドシャフト３の高さ調整範囲Ｚ２が低位置に存在する場合が例示されている。これらの事例は、ディスク装置の異なる種類のモデルに対して個別に適用される。図２〜図５において、Ｄ１，Ｄ２はメインガイドシャフト３の軸線と対物レンズ６１との相互間隔を示していて、両者は等しくなっている（Ｄ１＝Ｄ２）。図２及び図３に示した高位置の高さ調整範囲Ｚ１は、シャーシ５０の取付面５１とメインガイドシャフト３の軸線の上限位置との間隔Ｈ１からシャーシ１の取付面５１とメインガイドシャフト３の軸線の下限位置との間隔ｈ１を差し引いた値（Ｚ１＝Ｈ１−ｈ１）である。図４及び図５に示した低位置の高さ調整範囲Ｚ２は、シャーシ５０の取付面５１とメインガイドシャフト３の軸線の上限位置との間隔Ｈ２からシャーシ５０の取付面５１とメインガイドシャフト３の軸線の下限位置との間隔ｈ２（ｈ２は負の値）を差し引いた値である。そして、図２及び図３と、図４及び図５とでは、ｈ１＞ｈ２、Ｈ１＞Ｈ２の関係が成立している。
【００２９】
図２及び図３の場合には、調整ねじ４０がシャフト保持体２０の高さ方向片側の板部２３に備わっているねじ孔２５にねじ込まれている。これに対し、図４及び図５の場合には、調整ねじ４０がシャフト保持体２０の高さ方向他側の板部２４に備わっているねじ孔２６にねじ込まれている。そして、ねじ孔３５，３６は同じサイズであるので、調整ねじ４０はいずれのねじ孔２５，２６に対しても共用することができる。
【００３０】
メインガイドシャフト３の高さ調整を高位置で行うときには、図２及び図３のように、シャーシ５０に正立姿勢で固定したシャフト支持機構１０の調整空間２２にメインガイドシャフト３の端部を挿通させ、そのメインガイドシャフト３に、ねじ孔２５にねじ込んだ調整ねじ４０の先端を当接させる。また、メインガイドシャフト３にはばね圧Ｆをシャーシ５０側に向けて作用させる。このばね圧Ｆには、図６〜図８などを参照して説明したばね体７３と同様のばね体による弾発付勢力を利用することが可能である。この状態で、ねじ孔２５に対する調整ねじ４０のねじ込み量を増減調節してその調整ねじ４０の先端位置を変えると、メインガイドシャフト３がシャーシ５０の取付面５１に対する遠近方向（調整空間２２の高さ方向）にのみ変位し、調整ねじ４０とばね圧Ｆとの押合いによってメインガイドシャフト３の高さ、すなわち、シャーシ５０の取付面５１とメインガイドシャフト３との間隔が調整され、そのようなメインガイドシャフト３の高さ調整を通じて、メインガイドシャフト３に案内される光ピックアップ６の対物レンズ６１（図６参照）の高さレベルが調整される。
【００３１】
これに対し、メインガイドシャフト３の高さ調整を低位置で行うときには、図４及び図５のように、シャーシ５０に倒立姿勢で固定したシャフト支持機構１０の調整空間２２にメインガイドシャフト３の端部を挿通させ、そのメインガイドシャフト３にねじ孔２６にねじ込んだ調整ねじ４０の先端を当接させる。また、メインガイドシャフト３にはばね圧Ｆをシャーシ５０側に向けて作用させる。このばね圧Ｆにも、図６〜図８などを参照して説明したばね体７３と同様のばね体による弾発付勢力を利用することが可能である。この状態で、ねじ孔２６に対する調整ねじ４０のねじ込み量を増減調節してその調整ねじ４０の先端位置を変えると、メインガイドシャフト３がシャーシ５０の取付面５１に対する遠近方向（調整空間２２の高さ方向）にのみ変位し、調整ねじ４０とばね圧Ｆとの押合いによってメインガイドシャフト３の高さ、すなわち、シャーシ５０の取付面５１とメインガイドシャフト３との間隔が調整され、そのようなメインガイドシャフト３の高さ調整を通じて、メインガイドシャフト３に案内される光ピックアップ６の対物レンズ６１（図６参照）の高さレベルが調整される。
【００３２】
上記したところと同様の高さ調整方法は、図６に示したディスク装置のメインガイドシャフト３の他端部や、サブガイドシャフト４の一端部及び他端部にも、同様に適用することが可能である。
【００３３】
この実施形態では、シャフト支持機構１０の取付部３０がシャーシ５０の取付面５１にビス止め手段によって固定されるようになっているけれども、取付部３０をシャーシ５０の取付面５１に固定する手段はこれに限定されない。たとえば、シャフト支持機構１０のシャフト保持体２０の両側に溝形の取付部を具備させておき、そのような溝形の取付部をシャーシ５０側に形成した嵌込み片部にスライドして嵌合させることにより固定するというような構成を採用することも可能であり、そのようにすると、取付ビス６０が不要になる。また、場合によっては、取付部をシャーシの取付面に接着剤で接合するという構成を採用することも可能である。
【符号の説明】
【００３４】
３  メインガイドシャフト（ガイドシャフト）
４  サブガイドシャフト（ガイドシャフト）
１０  シャフト支持機構
２２  調整空間
２０  シャフト保持体
２３，２４  板部
２５，２６  ねじ孔
３０  取付部
４０  調整ねじ
５０  シャーシ
５１  取付面
【図１】
2010160850.tif 000003
【図２】
2010160850.tif 000004
【図３】
2010160850.tif 000005
【図４】
2010160850.tif 000006
【図５】
2010160850.tif 000007
【図６】
2010160850.tif 000008
【図７】
2010160850.tif 000009
【図８】
2010160850.tif 000010